(57)【特許請求の範囲】
【請求項１】
商品陳列室を取り囲んでケース本体の内箱と外箱の間に冷気循環ダクトを画成するとともに、庫内の天井パネルに庫内照明用の直管形蛍光灯を吊り下げ支持し、該蛍光灯の両端の口金とケース本体の庫外側に設置した電源用安定器との間に冷気循環ダクトの中を経由してソケット付き電線を配線したショーケースにおいて、前記蛍光灯の左右の口金に対して天井パネルには左右いずれか一方の口金近傍にのみ電線引出し穴を開口し、該電線引出し穴を通して蛍光灯に接続するソケット付き電線を庫内側に引出した上で、その一方の電線に取り付けたソケットを電線引出し穴の近傍に位置する蛍光灯の口金に差し込み接続し、他方の電線は天井パネルの下面側を這わせて反対側に位置する口金に差し込み接続するようにしたことを特徴とするショーケース。
【発明の詳細な説明】
【０００１】
【発明の属する技術分野】
本発明は冷気循環式の多段形ショーケース，詳しくはショーケースの庫内天井パネルに配した庫内照明用蛍光灯の配線構造に関する。
【０００２】
【従来の技術】
頭記した多段形ショーケースの構成を図２に、またショーケースの庫内天井パネルに配した蛍光灯の従来における配線構造を図３(a),(b) に示す。
【０００３】
まず、図２において、１はショーケースのケース本体、１ａは断熱筐体としてなる前面開放形の外箱、１ｂは商品陳列室２を画成する内箱、３は商品陳列棚、４は商品陳列室２の外周を取り囲んで外箱１ａと内箱１ｂとの間に形成した冷気循環ダクト、５は冷気循環ダクト４に配した冷却器（冷凍機のエバポレータ）、６はファン、７は外箱１ａの前面上部に取付けたキャノピー（天蓋）であり、庫内の天井パネル８（内箱１ｂの天井板）の前部にはショーケースの長手方向に沿って庫内照明用の直管形蛍光灯９が蛍光灯ホルダ１０を介して吊り下げ支持されている。また、キャノピー７の内方には蛍光灯９の電源用安定器（チョークコイル）１１が設置されており、該安定器１１と庫内側に配した蛍光灯９のソケットとの間を接続する電線（リード線）が次記のように配線されている。
【０００４】
すなわち、図３(a),(b) に示すように、電線１２の先端にはあらかじめ蛍光灯９の左右両端に備えた口金（バイピン形口金）９ａの口金ピンに差し込み接続するソケット１３を取付けておく。一方、天井パネル８には蛍光灯９の左右二ヶ所に電線引出し穴８ａが開口されている。そして、一端を先記の安定器１１（図２参照）に接続して冷気循環ダクト４の中に引き込んだ２本の電線１２を、冷気循環ダクト４のインナーダクトとアウターダクトとの間の仕切板４ａに這わせて蛍光灯９の近傍位置まで引回した上で１本ずつ前記の電線引出し穴８ａを通して庫内へ引出し、ソケット１３を蛍光灯９の口金９ａに差し込み接続するようにしている。なお、１４は電線１２を天井パネル８に固定するクリップである。
【０００５】
【発明が解決しようとする課題】
前記した庫内照明用の蛍光灯９に対する従来の配線構造では施工面，およびショーケースとしての保冷性能面で次に記すような不具合がある。すなわち、
(1) 蛍光灯９と安定器１１との間を配線するために、蛍光灯９の左右の口金９ａと個々に対応して天井パネル８には左右二ヶ所に電線引出し穴８ａを穿孔した上で、ショーケースの組立時には天井パネル８の裏面側に引回し配線した２本の電線１２を１本ずつ電線引出し穴８ａを通して別々に庫内側へ引き出す必要があり、２箇所の電線引出し穴８ａの穴開け加工と併せて、配線の施工に多く手間がかかる。
【０００６】
(2) 図３で示すように、冷気循環ダクト４の中を引回して配線した２本の電線１２のうち、一方の電線は天井パネル８の裏面側を左右長手方向に這わせて配線し、その途中箇所をクリップ１４で固定するようにしている。つまり、冷気循環ダクト４のインナーダクトを通風する冷気流に対して電線１２が横切る方向に配線されている。このために、電線１２が障害物となって冷気流の通風抵抗を高め、ケース本体１の庫内前面に吹出形成する冷気エアカーテンの吹出風速を低めたり，エアカーテンの層流を乱したりしてショーケースの保冷性能に悪影響を及ぼす。
【０００７】
本発明は上記の点に鑑みなされたものであり、その目的は前記課題を解決し、配線の施工が簡単で、しかもショーケースの保冷性能にも悪影響を与えることがないように庫内天井に配した蛍光灯に対する配線構造を改良したショーケースを提供することにある。
【０００８】
【課題を解決するための手段】
上記目的を達成するために、本発明によれば、商品陳列室を取り囲んでケース本体の内箱と外箱の間に冷気循環ダクトを画成するとともに、庫内の天井パネルに庫内照明用の直管形蛍光灯を吊り下げ支持し、該蛍光灯の両端の口金とケース本体の庫外側に設置した電源用安定器との間に冷気循環ダクトの中を経由してソケット付き電線を配線したショーケースにおいて、前記蛍光灯の左右の口金に対して天井パネルには左右いずれか一方の口金近傍にのみ電線引出し穴を開口し、該電線引出し穴を通して蛍光灯に接続するソケット付き電線を庫内側に引出した上で、その一方の電線に取り付けたソケットを電線引出し穴の近傍に位置する蛍光灯の口金に差し込み接続し、他方の電線は天井パネルの下面側を這わせて反対側に位置する口金に差し込み接続するように構成する。
【０００９】
前記の配線構造によれば、天井パネルに配した直管形蛍光灯に対して電線引出し穴を１箇所穿孔するだけて済むほか、該電線引出し穴を通して冷気循環ダクト側から庫内側に引出した電線を天井パネルにクリップ止めする配線作業，および蛍光灯の口金との接続作業を庫内側の広いスペースから楽に行うことができる。しかも、天井パネルの裏面側には冷気循環ダクトを通風する冷気流を横切る方向に電線が配線されてないので、これにより電線が冷気流の障害物となって保冷性能を悪化させることもない。
【００１０】
【発明の実施の形態】
以下、本発明の実施の形態を図１(a),(b) に示す実施例に基づいて説明する。なお、実施例の図中で図３に対応する同一部材には同じ符号を付してその説明は省略する。
【００１１】
この実施例においては、庫内の天井パネル８の前部に左右の向きにホルダ１０を介して吊り下げ支持した直管形蛍光灯９の左右の口金９ａに対し、天井パネル８には左右いずれか一方の口金９ａの近傍箇所にのみ電線引出し穴８ａが開口（図示例では蛍光灯９の左側の口金９ａ）されている。そして、前記電線引出し穴８ａを通して冷気循環ダクト４の中を経由して安定器１１との間に引回し配線したソケット１３付きの２本の電線１２を庫内側に引出すとともに、その一方の電線に取付けたソケット１３を電線引出し穴８ａの近傍に位置する左側の口金９ａのピンに差し込み接続し、他方の電線は図１(b) の点線で表すように蛍光灯９の側方に沿って天井パネル８の下面に這わせ、その先端に取付けたソケット１３を蛍光灯９の右側の口金９ａに接続する。なお、天井パネル８の下面に這わせた電線１２は適宜箇所をクリップ１４で固定するようにしている。
【００１２】
【発明の効果】
上記のように、本発明によれば、商品陳列室を取り囲んでケース本体の内箱と外箱の間に冷気循環ダクトを画成するとともに、庫内の天井パネルに庫内照明用の直管形蛍光灯を吊り下げ支持し、該蛍光灯の両端の口金とケース本体の庫外側に設置した電源用安定器との間に冷気循環ダクトの中を経由してソケット付き電線を配線したショーケースにおいて、前記蛍光灯の左右の口金に対して天井パネルには左右いずれか一方の口金近傍にのみ電線引出し穴を開口し、該電線引出し穴を通して蛍光灯に接続するソケット付き電線を庫内側に引出した上で、その一方の電線に取り付けたソケットを電線引出し穴の近傍に位置する蛍光灯の口金に差し込み接続し、他方の電線は天井パネルの下面側を這わせて反対側に位置する口金に差し込み接続するよう構成したことにより、天井パネルに吊り下げ支持した直管形の蛍光灯に対して、天井パネルには電線引出し穴を蛍光灯の左右端のいずれか１ヶ所のみ開けるだけで済むとともに、該電線引出し穴を通して冷気循環ダクト側から庫内側に引出した電線のクリップ止め作業，および蛍光灯の口金とソケットとの接続を庫内側の広いスペースから行うことができ、従来の配線構造と比べて電線引出し穴の穴開け加工を含めた配線のための施工が簡単となる。また、天井パネルの裏面側には冷気循環ダクトを通風する冷気流を横切る方向に電線が配線されてないので、電線が障害物となって冷気流の通風抵抗を高めることがなく、これにより従来のショーケースで問題となっていた保冷性能への悪影響が解消できる。
【図面の簡単な説明】
【図１】本発明の実施例による庫内蛍光灯の配線構造を表す図であり、(a) はケース本体の上部の縦断側面図、(b) は(a) における天井パネルの平面図
【図２】本発明の実施対象となる冷気循環式の多段形ショーケースの構成概要図
【図３】従来のショーケースにおける庫内蛍光灯の配線構造を表す図であり、(a) はケース本体の上部の縦断側面図、(b) は(a) における天井パネルの平面図
【符号の説明】
１    ケース本体
１ａ  外箱
１ｂ  内箱
２    商品陳列室
４    冷気循環ダクト
７    キャノピー
８    天井パネル
８ａ  電線引出し穴
９    蛍光灯
９ａ  口金
１１    安定器
１２    電線
１３    ソケット
１４    クリップ
【図１】
0003812191.tif 000002
【図２】
0003812191.tif 000003
【図３】
0003812191.tif 000004